(57)【特許請求の範囲】
【請求項１】
導電性の芯線及び該芯線の周囲を覆うシリコーン樹脂の絶縁被覆を有する絶縁電線と、
前記絶縁電線の端部において前記芯線と電気的に接続された金属端子と、
前記絶縁電線の端部における前記絶縁被覆が貫通した筒状のシリコーンゴムの部材であり、内側面が前記絶縁被覆に溶着した筒状ゴム部材と、
絶縁性の合成樹脂からなり、少なくとも前記絶縁電線における前記筒状ゴム部材が設けられた部分から前記金属端子における前記芯線との接続部までの領域を含む保護領域をインサート部とするインサート成形によって形成され、前記保護領域を覆うとともに前記筒状ゴム部材と密接した防水樹脂部と、を備え、
前記絶縁電線の前記絶縁被覆における前記筒状ゴム部材が設けられた領域は、その両側の領域との間に段差を形成して窪んだ領域である、端子付電線。
【請求項２】
導電性の芯線及び該芯線の周囲を覆うシリコーン樹脂の絶縁被覆を有する絶縁電線と、
前記絶縁電線の端部において前記芯線と電気的に接続された金属端子と、
前記絶縁電線の端部における前記絶縁被覆が貫通した筒状のシリコーンゴムの部材であり、内側面が前記絶縁被覆に溶着した筒状ゴム部材と、
絶縁性の合成樹脂からなり、少なくとも前記絶縁電線における前記筒状ゴム部材が設けられた部分から前記金属端子における前記芯線との接続部までの領域を含む保護領域をインサート部とするインサート成形によって形成され、前記保護領域を覆うとともに前記筒状ゴム部材と密接した防水樹脂部と、を備え、
前記筒状ゴム部材の厚みよりも小さな厚みで形成され、前記絶縁被覆における前記保護領域内の前記筒状ゴム部材が設けられた領域の両側の位置に圧着された２つの圧着金具をさらに備える、端子付電線。
【請求項３】
前記筒状ゴム部材の外側面は、それぞれ全周に亘る稜線を形成する複数の環状の凸面が当該筒状ゴム部材の軸心方向において並ぶ凹凸面を形成している、請求項１又は請求項２に記載の端子付電線。
【発明の詳細な説明】
【技術分野】
【０００１】
本発明は、絶縁電線及びその端部に設けられた金属端子を含む端子付電線に関する。
【背景技術】
【０００２】
昨今、自動車に搭載されるワイヤハーネスにおいて、絶縁電線及びその端部に設けられた金属端子を含む端子付電線は、より高い防水性能が求められている。防水機能を有する端子付電線は、端部の防水領域を覆う防水樹脂部を備える。以下、防水樹脂部を備える端子付電線のことを防水端子付電線と称する。
【０００３】
防水樹脂部は、合成樹脂材料からなり、絶縁電線の端部における絶縁被覆の部分から金属端子における芯線との接続部までの領域を含む保護領域をインサート部とするインサート成形によって保護領域を覆って形成された部分である。
【０００４】
また、防水端子付電線の製造工程において、防水樹脂部のインサート成形が行われる前に、止水材が、絶縁電線の端部における絶縁被覆の表面に全周に亘って形成される。この止水材は、絶縁被覆と防水樹脂部との隙間を塞ぐ。
【０００５】
防水端子付電線において、絶縁被覆の熱膨張係数と防水樹脂部の熱膨張係数とは異なるため、止水材は、絶縁被覆と防水樹脂部との熱膨張の差に対応できる伸縮性を備える必要がある。さらに、止水材は、防水樹脂部のインサート成形の際の樹脂の圧力によって位置ずれしないように、絶縁被覆における所定の位置に固定される必要がある。
【０００６】
例えば、特許文献１に示される端子付電線においては、防水樹脂部が、弾性を有する接着テープ（シール部材）が巻き付けられた絶縁電線をインサート部とするインサート成形により形成される。特許文献１に示される接着テープは、シリコーンゴム又はブチルゴムなどからなり、絶縁被覆と防水樹脂部との隙間からの水の浸入を防ぐ止水材として機能する。
【先行技術文献】
【特許文献】
【０００７】
【特許文献１】特開２００６−１２３４５８号公報
【発明の概要】
【発明が解決しようとする課題】
【０００８】
しかしながら、接着テープが絶縁被覆と防水樹脂部との間の止水材として採用された場合、以下に示されるような不都合が生じる。
【０００９】
即ち、接着テープは、厚みが薄いため、絶縁被覆と防水樹脂部との熱膨張の差に対応した十分な伸縮性能を発揮し難い。また、止水材として十分な厚みを確保するために、接着テープを多重に巻き付けることは、テープ巻きを行う作業者の技量によって接着テープの巻き付け状態が変動するため、止水性能のばらつきが生じやすいという不都合を招く。
【００１０】
また、大きな厚みの接着テープ、例えば、ブチルゴムの接着テープなどが採用された場合、接着テープの末端が形成する大きな段差により、接着テープが重なる部分において隙間が生じやすい。そのような隙間は、止水性能の悪化を招く。さらに、ブチルゴムの接着テープは、耐熱性が十分でないため、高温の場所に敷設される端子付電線には適さない。
【００１１】
一方、大きな厚みのゴム製の筒部材が、止水材として採用された場合、筒部材が、防水樹脂部のインサート成形の際の樹脂の圧力によって位置ずれしやすい。止水材の位置ずれは、止水性能の悪化及びばらつきを招く。
【００１２】
本発明は、端子付電線における絶縁電線とその端部を覆う防水樹脂部との隙間が止水部材で塞がれる止水構造において、耐熱性及び伸縮性に優れた止水部材を採用しつつ、防水樹脂部のインサート成形の際の樹脂の圧力による止水部材の位置ずれを防止できることを目的とする。
【課題を解決するための手段】
【００１３】
本発明に係る端子付電線は、以下に示す各構成要素を備える。
（１）第１の構成要素は、導電性の芯線及び該芯線の周囲を覆うシリコーン樹脂の絶縁被覆を有する絶縁電線である。
（２）第２の構成要素は、前記絶縁電線の端部において前記芯線と電気的に接続された金属端子である。
（３）第３の構成要素は、前記絶縁電線の端部における前記絶縁被覆が貫通した筒状のシリコーンゴムの部材であり、内側面が前記絶縁被覆に溶着した筒状ゴム部材である。
（４）第４の構成要素は、絶縁性の合成樹脂からなり、少なくとも前記絶縁電線における前記筒状ゴム部材が設けられた部分から前記金属端子における前記芯線との接続部までの領域を含む保護領域をインサート部とするインサート成形によって形成され、前記保護領域を覆うとともに前記筒状ゴム部材と密接した防水樹脂部である。また、本発明に係る端子付電線において、前記絶縁電線の前記絶縁被覆における前記筒状ゴム部材が設けられた領域は、その両側の領域との間に段差を形成して窪んだ領域であることが考えられる。
【００１４】
また、本発明に係る端子付電線は、以下に示す各構成要素を備える。
（１）第１の構成要素は、導電性の芯線及び該芯線の周囲を覆うシリコーン樹脂の絶縁被覆を有する絶縁電線である。
（２）第２の構成要素は、前記絶縁電線の端部において前記芯線と電気的に接続された金属端子である。
（３）第３の構成要素は、前記絶縁電線の端部における前記絶縁被覆が貫通した筒状のシリコーンゴムの部材であり、内側面が前記絶縁被覆に溶着した筒状ゴム部材である。
（４）第４の構成要素は、絶縁性の合成樹脂からなり、少なくとも前記絶縁電線における前記筒状ゴム部材が設けられた部分から前記金属端子における前記芯線との接続部までの領域を含む保護領域をインサート部とするインサート成形によって形成され、前記保護領域を覆うとともに前記筒状ゴム部材と密接した防水樹脂部である。
（５）第５の構成要素は、前記筒状ゴム部材の厚みよりも小さな厚みで形成され、前記絶縁被覆における前記保護領域内の前記筒状ゴム部材が設けられた領域の両側の位置に圧着された２つの圧着金具である。
【００１５】
また、本発明に係る端子付電線において、前記筒状ゴム部材の外側面は、それぞれ全周に亘る稜線を形成する複数の環状の凸面が当該筒状ゴム部材の軸心方向において並ぶ凹凸面を形成していることが考えられる。
【発明の効果】
【００１７】
本発明に係る端子付電線において、耐熱性及び伸縮性に優れたシリコーンゴムからなる筒状ゴム部材が、絶縁電線におけるシリコーン樹脂の絶縁被覆とその端部を覆う防水樹脂部との隙間を塞ぐ止水部材として採用される。さらに、筒状ゴム部材は、同じシリコーン系の材料からなる絶縁被覆に対し、溶着（架橋型接着による分子レベルでの接合）により固定されている。そのため、防水樹脂部のインサート成形の際の樹脂の圧力による止水部材の位置ずれが防止される。その結果、止水性能に優れ、さらに止水性能のばらつきの小さな端子付電線を得ることができる。
【図面の簡単な説明】
【００１８】
【図１】本発明の第１実施形態に係る端子付電線１の平面図及び側面図である。
【図２】端子付電線１における防水樹脂部の部分の断面図である。
【図３】端子付電線１が備える筒状ゴム部材の３面図である。
【図４】端子付電線１の製造手順を示す模式図である。
【図５】本発明の第２実施形態に係る端子付電線１Ａにおける防水樹脂部の部分の断面図である。
【図６】端子付電線１Ａの製造手順の一部を構成する絶縁被覆圧縮工程を示す模式図である。
【図７】本発明の第３実施形態に係る端子付電線１Ｂにおける防水樹脂部の部分の断面図である。
【図８】端子付電線１Ｂの製造手順の一部を構成する金具圧着工程を示す模式図である。
【発明を実施するための形態】
【００１９】
以下、添付の図面を参照しながら、本発明の実施形態について説明する。以下の実施形態は、本発明を具体化した一例であり、本発明の技術的範囲を限定する事例ではない。
【００２０】
＜第１実施形態＞
まず、図１から図３を参照しつつ、本発明の実施形態に係る端子付電線１の構成について説明する。図１に示されるように、端子付電線１は、絶縁電線１０と金属端子２０と筒状ゴム部材３０と防水樹脂部４０とを備える。
【００２１】
なお、図２は、端子付電線１における防水樹脂部４０の部分の断面図であり、より具体的には、図１に示されるＤ−Ｄ平面における端子付電線１の断面図である。また、図３（ａ）は筒状ゴム部材３０の平面図、図３（ｂ）は筒状ゴム部材３０の正面図、図３（ｃ）は筒状ゴム部材３０の側面図である。
【００２２】
絶縁電線１０は、導電性の芯線１１及び芯線１１の周囲を覆うシリコーン樹脂の絶縁被覆１２を備える。絶縁電線１０において、芯線１１の端部は、絶縁被覆１２の端部から延び出て形成されている。
【００２３】
芯線１１は、例えば、銅、銅合金もしくはアルミニウム合金などの金属材料からなる。一方、絶縁被覆１２は、例えば、例えば、シリコーンゴムなどのシリコーン樹脂からなる。また、絶縁被覆１２を構成するシリコーン樹脂は、架橋度が１００％未満のシリコーン樹脂からなり、未架橋部を含む。絶縁被覆１２を構成するシリコーン樹脂の架橋度は、例えば、概ね６０％から９０％までの範囲内である。
【００２４】
金属端子２０は、絶縁電線１０の端部において芯線１１と電気的に接続された端子である。金属端子２０は、銅もしくは銅合金などの金属材料からなる金具である。金属端子２０は、バスバー、電装機器の端子部又は他の端子付電線の端子などの接続相手と接続される部分である。図１に示される例では、金属端子２０は、ネジが通される貫通孔が形成された平板状の端子である。しかしながら、金属端子２０が、貫通孔のない板状又は棒状などの他の形状を有することも考えられる。
【００２５】
例えば、金属端子２０は、超音波溶接などによって絶縁電線１０の端部の芯線１１に対して固定される。或いは、金属端子２０が、絶縁電線１０の芯線１１及び絶縁被覆１２の部分の各々に圧着されるかしめ部が形成された圧着端子である場合、金属端子２０は、絶縁電線１０の端部に圧着されて固定される。
【００２６】
筒状ゴム部材３０は、絶縁電線１０の端部における絶縁被覆１２が貫通した筒状のシリコーンゴムの部材である。筒状ゴム部材３０は、例えば、シリコーンゴムからなる。圧力が加わっていない状態（自然状態）の筒状ゴム部材３０の内側面の直径は、自然状態の絶縁電線１０における絶縁被覆１２の部分の外径よりも小さい。
【００２７】
従って、絶縁電線１０の絶縁被覆１２の部分が筒状ゴム部材３０の中空部３１に通された状態において、筒状ゴム部材３０の内側面全体は、筒状ゴム部材３０の弾性力によって絶縁被覆１２の外周面全体に密接する。さらに、後述するように、筒状ゴム部材３０の内側面は、絶縁被覆１２に溶着している。
【００２８】
また、図３に示されるように、本実施形態における筒状ゴム部材３０の外側面は、それぞれ全周に亘る稜線を形成する複数の環状の凸面３２が当該筒状ゴム部材３０の軸心方向において並ぶ凹凸面を形成している。即ち、筒状ゴム部材３０の外側面は、当該筒状ゴム部材３０の軸心方向において環状の凸面３２と環状の凹面３３とが交互に並ぶ凹凸面である。なお、筒状ゴム部材３０の軸心方向とは、筒状ゴム部材３０の中空部３１の中心線に沿う方向を意味する。
【００２９】
防水樹脂部４０は、端子付電線１の端部における所定の保護領域を覆うとともに筒状ゴム部材３０と密接した樹脂部材である。この防水樹脂部４０は、端子付電線１の保護領域をインサート部とするインサート成形によって形成される。保護領域は、少なくとも絶縁電線１０における筒状ゴム部材３０が設けられた部分から金属端子２０における芯線１１との接続部２１までの領域を含む領域である。
【００３０】
防水樹脂部４０は、例えば、ポリアミド（ＰＡ）、ポリプロピレン（ＰＰ）、ＡＢＳ樹脂又は芳香族ナイロンなどの絶縁性の樹脂からなる部材である。
【００３１】
＜端子付電線１の製造方法＞
次に、図４を参照しつつ、端子付電線１の製造手順の概略について説明する。なお、図４は、端子付電線１の製造手順を示す模式図である。
【００３２】
端子付電線１の製造においては、筒状ゴム部材３０の元になる部材として、未架橋部の割合が比較的高いシリコーンゴムからなる筒状ゴム部材が用いられる。即ち、筒状ゴム部材３０の元になる部材は、架橋度が１００％未満のシリコーンゴムからなり、その架橋度は、筒状ゴム部材３０の架橋度よりも低い。
【００３３】
以下、筒状ゴム部材３０の元になるシリコーンゴムからなる筒状の部材、即ち、架橋度が最終的に得られる筒状ゴム部材３０の架橋度よりも低いシリコーンゴムからなる筒状ゴム部材のことを、低架橋度筒状ゴム部材３０Ａと称する。
【００３４】
低架橋度筒状ゴム部材３０Ａは、最終的に得られる筒状ゴム部材３０と比較して、材料の架橋度が異なる以外は、同じ構造を備えている。例えば、低架橋度筒状ゴム部材３０Ａは、概ね２０％から８０％までの範囲の架橋度のシリコーンゴムの部材である。なお、最終的に得られる筒状ゴム部材３０の架橋度は、１００％であることも、１００％未満であることも考えられる。
【００３５】
端子付電線１の製造工程において、まず、筒状ゴム部材装着工程と端子接続工程とが行われる。図４（ａ）に示されるように、筒状ゴム部材装着工程は、低架橋度筒状ゴム部材３０Ａの中空部３１に絶縁電線１０の端部における絶縁被覆１２の部分を貫通させる工程である。また、端子接続工程は、金属端子２０を、溶接又はかしめによって絶縁電線１０の端部に取り付ける工程である。
【００３６】
筒状ゴム部材装着工程及び端子接続工程が行われることにより、図４（ｂ）に示されるように、低架橋度筒状ゴム部材３０Ａを貫通した状態の絶縁電線１０における芯線１１と金属端子２０とが、一体に連結されるとともに電気的に接続される。
【００３７】
なお、筒状ゴム部材装着工程が、端子接続工程よりも先に行われることが通常である。しかしながら、金属端子２０の輪郭形状の大きさと、絶縁電線１０の輪郭形状の大きさとの差が小さい場合、端子接続工程が、筒状ゴム部材装着工程よりも先に行われてもよい。
【００３８】
なお、図４（ａ）において、絶縁電線１０が貫通する前の低架橋度筒状ゴム部材３０Ａが仮想線（２点鎖線）により描かれている。また、図４（ｂ）において、絶縁電線１０に接続される前の金属端子２０が仮想線により描かれている。
【００３９】
次に、図４（ｃ）に示されるように、溶着工程が行われる。溶着工程は、絶縁電線１０の端部における絶縁被覆１２の部分に配置された低架橋度筒状ゴム部材３０Ａを、ヒータ５１によって加熱することにより、絶縁電線１０の絶縁被覆１２に溶着する工程である。
【００４０】
溶着工程の実行により、低架橋度筒状ゴム部材３０Ａを構成するシリコーン樹脂の未架橋部と絶縁被覆１２を構成するシリコーンゴムの未架橋部との架橋が生じる。その結果、溶着工程を経て得られる筒状ゴム部材３０は、同じシリコーン系の材料からなる絶縁被覆１２に対し、溶着（架橋型接着による分子レベルでの接合）により固定される。
【００４１】
最後に、図４（ｄ）に示されるように、インサート成形工程が行われる。インサート成形工程は、絶縁電線１０における保護領域をインサート部とするインサート成形により、溶融状態の樹脂材料４０Ｐを、端子付電線１の保護領域を覆う形状の防水樹脂部４０へ成形する工程である。
【００４２】
インサート成形工程においては、まず、端子付電線１の保護領域は、防水樹脂部４０を成形するための金型５２の内部の予め定められた位置に配置される。その後、溶融状態の樹脂材料４０Ｐが、樹脂供給装置５３から金型５２内へ射出される。これにより、合成樹脂の防水樹脂部４０が、端子付電線１の保護領域を覆う形状に成形される。
【００４３】
なお、図４（ｄ）に示される金型５２の図は、金型５２の断面図である。
【００４４】
インサート成形の前に絶縁被覆１２に溶着した筒状ゴム部材３０は、インサート成形の際に溶融樹脂から受ける圧力によって弾性的に収縮する。そのため、保護領域を覆う防水樹脂部４０は、収縮した筒状ゴム部材３０の弾性力（復元力）によって筒状ゴム部材３０と密接した状態となっている。
【００４５】
＜効果＞
端子付電線１において、耐熱性及び伸縮性に優れたシリコーンゴムからなる筒状ゴム部材３０が、絶縁電線１０におけるシリコーン樹脂の絶縁被覆１２とその端部を覆う防水樹脂部４０との隙間を塞ぐ止水部材として採用されている。筒状ゴム部材３０は、接着テープなどよりも十分に大きな厚みで形成され、絶縁被覆１２と防水樹脂部４０との熱膨張の差に対応した十分な伸縮性能を有する。
【００４６】
さらに、筒状ゴム部材３０は、同じシリコーン系の材料からなる絶縁被覆１２に対し、溶着（架橋型接着による分子レベルでの接合）により固定されている。そのため、防水樹脂部４０のインサート成形の際の樹脂の圧力による筒状ゴム部材３０の位置ずれは防止される。そのため、筒状ゴム部材３０の位置ずれに起因する止水性能の悪化及びばらつきは生じない。
【００４７】
また、筒状ゴム部材３０の外側面には、複数の環状の凸面３２が形成されている。筒状ゴム部材３０において、環状の凸面３２は、他の部分よりも弾性的に圧縮しやすく、防水樹脂部４０に対してより高い圧力で密接する。さらに、筒状ゴム部材３０の外側面が凹凸面であるため、筒状ゴム部材３０と防水樹脂部４０との接触面積が大きくなる。その結果、筒状ゴム部材３０による止水性能がより向上する。
【００４８】
また、従来の防水構造を備えた端子付電線の製造においては、絶縁被覆の表面に接着剤を塗布する作業、或いは接着テープを多重に巻き付ける作業など、作業者の技量によって仕上がり状態にばらつきが生じやすい作業が必要であった。
【００４９】
しかしながら、端子付電線１の製造において、筒状ゴム部材３０の元となる低架橋度筒状ゴム部材３０Ａの中空部３１に絶縁電線１０を通し、その絶縁電線１０及び低架橋度筒状ゴム部材３０Ａを加熱する工程は、作業者の技量による仕上がり状態のばらつきはほとんど生じない。そのため、絶縁電線１０に対する筒状ゴム部材３０の装着状態のばらつきに起因する止水性能のばらつきもほとんど生じない。
【００５０】
従って、端子付電線１は、止水性能に優れ、さらに止水性能のばらつきも小さい。さらに、端子付電線１の止水構造は、耐熱性にも優れている。
【００５１】
＜第２実施形態＞
次に、図５及び図６を参照しつつ、本発明の第２実施形態に係る端子付電線１Ａについて説明する。端子付電線１Ａは、図１から図４に示された端子付電線１と比較して、絶縁電線１０における筒状ゴム部材３０が装着された部分の構造のみが異なる。図５及び図６において、図１から図４に示される構成要素と同じ構成要素は、同じ参照符号が付されている。以下、端子付電線１Ａにおける端子付電線１と異なる点についてのみ説明する。
【００５２】
なお、図５は、端子付電線１Ａにおける防水樹脂部４０の部分の断面図である。また、図６は、端子付電線１Ａの製造手順の一部を構成する絶縁被覆圧縮工程を示す模式図である。
【００５３】
図５に示されるように、端子付電線１Ａにおいて、絶縁電線１０の絶縁被覆１２における筒状ゴム部材３０が設けられた領域は、その両側の領域との間に段差１２１を形成して窪んだ窪み領域１２２である。
【００５４】
図６（ａ）に示されるように、絶縁被覆１２の窪み領域１２２は、絶縁電線１０の絶縁被覆１２の部分を加熱しつつ圧縮する絶縁被覆圧縮工程により形成される。絶縁被覆圧縮工程は、図４（ａ）に示された筒状ゴム部材装着工程の前に実行される。
【００５５】
より具体的には、絶縁被覆圧縮工程において、ヒータ５５により加熱された金型５４が、絶縁電線１０の絶縁被覆１２の部分に押し付けられる。
【００５６】
金型５４における絶縁被覆１２に接触する面は、自然状態の絶縁電線１０における絶縁被覆１２の部分の外径よりも小さい直径の筒状に形成されている。図６（ｂ）に示されるように、金型５４によりホットプレス成形された絶縁被覆１２には、絶縁被覆１２の全周に亘る環状の一対の段差１２１が形成され、絶縁被覆１２における一対の段差１２１の間の領域が、筒状ゴム部材３０が嵌め入れられる窪み領域１２２となる。
【００５７】
端子付電線１Ａにおいて、筒状ゴム部材３０は、絶縁被覆１２に対して溶着固定されており、さらに、絶縁被覆１２の一対の段差１２１で移動（位置ずれ）が制限される。そのため、防水樹脂部４０のインサート成形の際の樹脂の圧力による筒状ゴム部材３０の位置ずれは、より確実に防止される。
【００５８】
＜第３実施形態＞
次に、図７及び図８を参照しつつ、本発明の第３実施形態に係る端子付電線１Ｂについて説明する。端子付電線１Ｂは、図１から図４に示された端子付電線１と比較して、２つの圧着金具６０が追加された構成を有している。図７及び図８において、図１から図４に示される構成要素と同じ構成要素は、同じ参照符号が付されている。以下、端子付電線１Ｂにおける端子付電線１と異なる点についてのみ説明する。
【００５９】
なお、図７は、端子付電線１Ｂにおける防水樹脂部４０の部分の断面図である。また、図８は、端子付電線１Ｂの製造手順の一部を構成する金具圧着工程を示す模式図である。
【００６０】
図７に示されるように、端子付電線１Ｂにおいて、２つの圧着金具６０が、絶縁被覆１２における保護領域内の筒状ゴム部材３０が設けられた領域の両側の位置に圧着されている。
【００６１】
２つの圧着金具６０は、筒状ゴム部材３０の厚みよりも小さな厚みで形成されている。そのため、絶縁被覆１２の表面から圧着金具６０の最大輪郭部までの高さは、絶縁被覆１２の表面から筒状ゴム部材３０の最大輪郭部までの高さよりも低い。
【００６２】
図８（ａ）に示されるように、２つの圧着金具６０は、金具圧着工程によって絶縁電線１０に圧着される。金具圧着工程において、２つの圧着金具６０は、絶縁電線１０の端部の絶縁被覆１２の部分における間隔を空けた２箇所に加締められることによって絶縁電線１０に圧着される。金具圧着工程は、図４（ｄ）に示されたインサート成形工程が行われるまでに実行される。なお、金具圧着工程の実行順序と、筒状ゴム部材装着工程、端子接続工程及び溶着工程各々の実行順序との先後関係は問わない。
【００６３】
図８（ｂ）に示されるように、２つの圧着金具６０が圧着された絶縁電線１０の絶縁被覆１２には、圧着金具６０の縁部によって一対の段差６１が形成される。筒状ゴム部材３０は、絶縁被覆１２における２つの圧着金具６０の間の区画領域１２３に溶着される。
【００６４】
端子付電線１Ｂにおいて、筒状ゴム部材３０は、絶縁被覆１２に対して溶着固定されており、さらに、２つの圧着金具６０によって移動（位置ずれ）が制限される。そのため、防水樹脂部４０のインサート成形の際の樹脂の圧力による筒状ゴム部材３０の位置ずれは、より確実に防止される。
【符号の説明】
【００６５】
１，１Ａ，１Ｂ  端子付電線
１０  絶縁電線
１１  芯線
１２  絶縁被覆
２０  金属端子
２１  接続部
３０  筒状ゴム部材
３０Ａ  低架橋度筒状ゴム部材
３１  筒状ゴム部材の中空部
３２  筒状ゴム部材の凸面
３３  筒状ゴム部材の凹面
４０  防水樹脂部
４０Ｐ  樹脂材料
５１，５５  ヒータ
５２，５４  金型
５３  樹脂供給装置
６０  圧着金具
６１，１２１  段差
１２２  絶縁被覆の窪み領域
１２３  絶縁被覆の区画領域
【図１】
0005742704.tif 000002
【図２】
0005742704.tif 000003
【図３】
0005742704.tif 000004
【図４】
0005742704.tif 000005
【図５】
0005742704.tif 000006
【図６】
0005742704.tif 000007
【図７】
0005742704.tif 000008
【図８】
0005742704.tif 000009